(57)【要約】【課題】導光設備が結合される浴室ユニットであって、天井におけるカビの発生を防ぐことができる浴室ユニットを提供する。【解決手段】屋外から光を導入する光ダクトが結合される浴室ユニット１において、光ダクトにより導入された光を浴室ユニット１内に放光する放光口は、浴室ユニット１の天井４に設けられている。また、放光口には、ブラケット７が取り付けられており、放光口からブラケット７に入射した光の少なくとも一部は、天井４に向けて反射される。また、ブラケット７の側面部の透光率は、ブラケット７の底面部の透光率よりも高い。【選択図】図２
2008082082.tif 000002
【特許請求の範囲】
【請求項１】
屋外から光を導入する導光設備が結合される浴室ユニットであって、
前記浴室ユニットの天井に設けられ、前記導光設備により導入された光を前記浴室ユニット内に放光する放光口と、
前記放光口に取り付けられたブラケットと、
を備え、
前記放光口から前記ブラケットに入射した光の少なくとも一部は、前記天井に向けて反射されることを特徴とする浴室ユニット。
【請求項２】
前記ブラケットの側面部の透光率は、前記ブラケットの底面部の透光率よりも高いことを特徴とする請求項１記載の浴室ユニット。
【請求項３】
前記ブラケットの前記底面部の上面は、光反射面とされていることを特徴とする請求項１または２に記載の浴室ユニット。
【請求項４】
前記天井には、光触媒がコーティングされていることを特徴とする請求項１〜３のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、浴室ユニット内は湿度が高く、カビが発生しやすいという問題がある。特に、浴室ユニットの天井は、手が届かず清掃が困難であるため、カビが発生しやすく、また、発生したカビを除去することが困難である。
【０００５】
【特許文献１】実開昭６０−０３３２４０号公報
【発明の開示】
【発明が解決しようとする課題】
【０００６】
本発明の目的は、導光設備が結合される浴室ユニットであって、天井におけるカビの発生を防ぐことができる浴室ユニットを提供することである。
【課題を解決するための手段】
【０００７】
本発明の一態様によれば、屋外から光を導入する導光設備が結合される浴室ユニットであって、前記浴室ユニットの天井に設けられ、前記導光設備により導入された光を前記浴室ユニット内に放光する放光口と、前記放光口に取り付けられたブラケットと、を備え、前記放光口から前記ブラケットに入射した光の少なくとも一部は、前記天井に向けて反射されることを特徴とする浴室ユニットが提供される。
【発明の効果】
【０００８】
本発明によれば、導光設備が結合され、天井におけるカビの発生を防ぐことができる浴室ユニットを実現することができる。
【発明を実施するための最良の形態】
【０００９】
以下、図面を参照しつつ本発明の実施形態について説明する。  
図１は、本実施形態に係る浴室ユニットが設けられた建築物を例示する模式的断面図であり、  
図２は、この浴室ユニットを例示する斜視図であり、  
図３は、この浴室ユニットにおけるブラケットを例示する斜視図であり、  
図４は、このブラケットを例示する断面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１の天井に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
図２に示すように、浴室ユニット１においては、床の一方の側に浴槽２が設けられており、他方の側が洗い場３となっている。浴室ユニット１の天井４には、光ダクト１０２により導入された外光Ｌを浴室ユニット１内に放光する放光口６が設けられている。また、放光口６にはブラケット７が取り付けられている。
【００１２】
図３及び図４に示すように、ブラケット７の形状は例えば円柱形であり、その中心軸は垂直方向に延びている。ブラケット７は、ブラケット７の側面部を構成する円筒部８と、ブラケット７の底面部を構成する円板部９とによって構成されている。円筒部８の透光率は、円板部９の透光率よりも高い。例えば、円筒部８は光を透過させる透明な樹脂により形成されており、円板部９は光を拡散させながら透過させる乳白色の樹脂により形成されている。
【００１３】
なお、ブラケット７においては、円筒部８及び円板部９の双方が乳白色の樹脂により形成されており、円筒部８の厚さは、円板部９の厚さよりも薄くなっていてもよい。  
又は、円筒部８が透明な樹脂若しくは乳白色の樹脂により形成されており、円板部９は遮光材により形成されており、円板部９の上面は光反射面、例えば鏡面又は白色面とされていてもよい。光反射面は、例えば、アルミニウム若しくはステンレスなどの金属面、又はこれらの金属面の表面に酸化アルミニウム若しくは樹脂などの被覆層が積層された面とすることができる。  
いずれの場合も、円筒部８の透光率は、円板部９の透光率よりも高くなっている。
【００１４】
浴室ユニット１の天井４には、放光口６の他に、例えば、点検口（図示せず）及び排気口（図示せず）が設けられている。また、図２に示すように、例えば、浴室ユニット１の側壁１４のうち、浴槽２の足側に位置する面における洗い場３側の領域には、入浴者のほぼ全身が映せるような大型の鏡１５が取り付けられている。また、鏡１５の向かって右側の側方には多段の収納棚１６が造り付けられており、鏡１５の向かって左側の側方にはシャワー１７が取り付けられており、鏡１５の下方にはカウンター１８が設けられている。
【００１５】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口６から出射し、ブラケット７を介して、浴室ユニット１の内部に導入される。
【００１６】
このとき、図４に示すように、放光口６から出射された光のうち、円板部９に到達した光の一部又は全部は上方に向けて反射され、その一部は円筒部８を透過して天井４（図２参照）に向かう。また、円板部９に到達した光の残部は、円板部９を透過して浴室ユニットの床又は側壁に向かう。更に、放光口６から円筒部８に到達した光のうち、一部又は全部は円筒部８を透過して浴室ユニットの側壁に向かい、残部は反射されて円板部９に向かう。このようにして、放光口６から出射された光の一部は、天井４に照射される。これにより、放光口６から出射された外光Ｌは、天井４を照明すると共に、天井４を加熱して、乾燥させる。
【００１７】
次に、本実施形態の効果について説明する。  
上述の如く、本実施形態においては、光ダクト１０２により浴室ユニット１に導入された外光Ｌは、その少なくとも一部がブラケット７の円板部９によって反射されて、天井４に照射される。これにより、外光Ｌに含まれる赤外線成分が天井４を加熱して乾燥させるため、天井４におけるカビの発生を防止することができる。また、外光Ｌに含まれる紫外線成分によっても、カビの発生を防止することができる。この結果、手が届きにくく、清掃が困難な浴室の天井に対して、清掃作業及びカビの除去作業などを行う必要性を低減させることができる。
【００１８】
これに対して、特許文献１に記載の技術においては、放光口から出射された光の一部を上方に向けて反射するブラケットは設けられていないため、光ダクトにより浴室内に導入された光は天井には照射されない。このため、天井におけるカビの発生を効果的に防止することはできない。
【００１９】
また、このとき、ブラケット７においては、円筒部８の透光率が円板部９の透光率よりも高い。このため、円板部９において反射される光は円筒部８において反射される光よりも多い。これにより、放光口６から出射された光のうち、より多くの割合の光を、天井４に向けて照射することができる。
【００２０】
以上、実施形態を参照しつつ、本発明の特徴を説明した。しかし、本発明は、この実施形態に限定されるものではなく、前述の実施形態に係る浴室ユニットを構成するいずれかの要素について、当業者が適宜追加、省略又は設計変更を加えたものであっても、本発明の要旨を備えたものであれば、本発明の範囲に包含される。
【００２１】
例えば、ブラケットの形状は円柱形に限定されず、任意の形状とすることができる。この場合、放光口からブラケットに入射した光のうち少なくとも一部が、天井に向けて反射されるようになっていればよい。また、ブラケットの側面部の透光率が底面部の透光率よりも高いことが好ましい。更に、ブラケットの内部に、放光口から出射された光を斜め上方に向けて反射するような反射体を設けてもよい。例えば、この反射体の形状を四角錐体とすることにより、矩形の天井の隅々まで光を供給することができる。これにより、特にカビが発生しやすい天井の周辺領域に対して光を確実に供給し、これらの端縁領域におけるカビの発生をより確実に防止することができる。
【００２２】
また、前述の実施形態において、浴室ユニットの天井の下面に、光触媒がコーティングされていてもよい。この結果、光触媒に光が照射されることにより、この光触媒が環境浄化機能を発揮し、かびの発生をより効果的に防止することができる。例えば、光触媒として酸化チタンを使用すると、光が照射されることにより酸化力が生じ、カビの胞子などの有機物を水や二酸化炭素に分解することができる。なお、自然光には可視光成分が多く含まれるため、光触媒として、可視光応答型光触媒を使用することがより好ましい。
【００２３】
更に、前述の実施形態においては、屋外から浴室ユニット内に外光を導入する導光設備が光ダクトである例を示したが、本発明はこれに限定されず、導光設備は例えば光ファイバであってもよい。
【図面の簡単な説明】
【００２４】
【図１】本発明の実施形態に係る浴室ユニットが設けられた建築物を例示する模式的断面図である。
【図２】本発明の実施形態に係る浴室ユニットを例示する斜視図である。
【図３】本発明の実施形態に係る浴室ユニットにおけるブラケットを例示する斜視図である。
【図４】本発明の実施形態におけるブラケットを例示する断面図である。
【符号の説明】
【００２５】
１  浴室ユニット、２  浴槽、３  洗い場、４  天井、６  放光口、７  ブラケット、８  円筒部、９  円板部、１４  側壁、１５  鏡、１６  収納棚、１７  シャワー、１８  カウンター、１０１  住宅、１０２  光ダクト、１０３  採光部、Ｌ  外光
【図１】
2008082082.tif 000003
【図２】
2008082082.tif 000004
【図３】
2008082082.tif 000005
【図４】
2008082082.tif 000006